(57)【要約】【課題】携帯電話端末などの電子機器が備えるキーの配置部分に照明機能を内蔵させる場合に、小型に構成させると共に、デザイン的にも優れた照明状態が得られるようにする。【解決手段】装置本体を構成する筐体にキーが配置された電子機器に適用される。上部からの押し下げ操作により導通状態が変化する接点部１６１を有して、その接点部１６１の上方に、少なくとも一部が透光性を有する透光部として構成されたキー部材を配置する。そして、接点部を囲むように環状に配置した環状導光部材を配置し、さらに、環状導光部材の側面に配置した発光素子から、環状導光部材の側面に光を入射させる構成とした。【選択図】図５
2008097976.tif 000002
【特許請求の範囲】
【請求項１】
装置本体を構成する筐体にキーが配置された電子機器において、
上部からの押し下げ操作により導通状態が変化する接点部と、
前記接点部の上方に配置して、前記接点部を押し下げ可能で、少なくとも一部が透光性を有する透光部として構成されたキー部材と、
前記接点部を囲むように環状に配置した環状導光部材と、
前記環状導光部材の側面に配置されて、前記環状導光部材の側面に発光した光を入射させる発光素子とを備えたことを特徴とする
電子機器。
【請求項２】
請求項１記載の電子機器において、
前記キー部材の透光部は、前記環状導光部材の上部に配置したことを特徴とする
電子機器。
【請求項３】
請求項１記載の電子機器において、
前記環状導光部材の側面部に切欠き部を設け、該切欠き部に前記発光素子を配置し、その発光素子からの光を入射させることを特徴とする
電子機器。
【請求項４】
請求項１記載の電子機器において、
前記発光素子は、前記環状導光部材の側面に複数配置したことを特徴とする
電子機器。
【請求項５】
請求項４記載の電子機器において、
前記発光素子を発光させる際に、前記複数の発光素子を時間差を設けて発光させることを特徴とする
電子機器。
【発明の詳細な説明】
【技術分野】
【０００１】
本発明は、例えば携帯電話端末やポータブルオーディオ端末などに適用して好適な電子機器に関し、特に押しボタン型の操作キーを備え、その操作キーの近傍を照明する照明を内蔵した電子機器に適用される技術に関する。
【背景技術】
【０００２】
従来、携帯電話端末などの電子機器は、電子機器本体を構成する筐体の表面に、押しボタンなどで構成される操作キーが配置してある。電子機器の構成によって、操作キーが配置される数は異なるが、例えば、携帯電話端末の場合には、比較的多くのキーが配置してある。
【０００３】
一般に、そのように配置された操作キーの表面には、キーの表面に、キーの機能などを印刷や刻印などで示すようにしてある。例えば、携帯電話端末のダイヤル操作用のキーの場合には、１，２，３，９，０の数字や各種記号が印刷などで表面に示してあり、所望の数字などが示されたキーを操作することで、電話番号などの操作が行える。ポータブルオーディオ端末の場合には、再生開始、停止、曲送り、ボリュームアップ、ボリュームダウンなどの機能を図形で示すようにしてあり、ユーザが操作したい機能に対応した図形が示されたキーの操作で、対応した操作が行える。
【０００４】
特許文献１には、この種の端末装置が備えるキー機構に、発光する照明部を内蔵させた自照式キー構成の一例についての記載がある。
【特許文献１】特開平９−１７１５９５号公報（図１）
【発明の開示】
【発明が解決しようとする課題】
【０００５】
この種の電子機器が備えるキーは、特許文献１に記載のように、照明機能を内蔵させた自照式キーとして構成させることで、暗い場所で使用する場合でも、複数配置されたそれぞれのキーが、どの機能のキーであるか判り、便利である。
ところが、特許文献１に記載のような自照式キーとするためには、キーを構成するボタンの下部に、発光ダイオードで構成される光源を、その光源からの光をキーの部分全体に導く導光部材が必要であり、キーの近傍の構成が大掛かりになり、キー装置が複雑で大型化してしまう問題がある。特に、キーを構成するボタンの真下に、発光ダイオードと、その発光ダイオードからの光を均一に拡散させる導光部材とを配置する必要があり、キーを配置する部分の厚みが厚くなってしまう問題があった。
【０００６】
このような厚みが増すことは、機器本体を構成する筐体の厚さが増すことになり、端末装置の小型化の阻害要因になってしまう。特に、携帯電話端末の場合には、携帯性が重要であり、厚さが増すような構成は、極力避ける必要がある。
【０００７】
また、従来の自照式キーの場合には、押しボタンを構成するキー部材そのものを透明又は半透明な樹脂素材で構成して、キー部材全体を照明する構成が一般的であるが、そのようなキー部材全体を照らす構成とすると、キーそのものの形状が浮かび上がることになり、キー形状によっては、デザイン的に必ずしも優れた状態で点灯しているとは言えない場合が多々あった。
【０００８】
本発明はかかる点に鑑み、この種のキーの配置箇所に照明機能を内蔵させる場合に、小型に構成させると共に、デザイン的にも優れた照明状態が得られるようにすることを目的とする。
【課題を解決するための手段】
【０００９】
本発明は、装置本体を構成する筐体にキーが配置された電子機器に適用される。上部からの押し下げ操作により導通状態が変化する接点部を有して、その接点部の上方に、少なくとも一部が透光性を有する透光部として構成されたキー部材を配置する。そして、接点部を囲むように環状に配置した環状導光部材を配置し、さらに、環状導光部材の側面に配置した発光素子から、環状導光部材の側面に光を入射させる構成とした。
【００１０】
本発明によると、発光素子から環状導光部材の側面に入射した光で、環状導光部材の形状に対応して、キー部材の周囲が環状に照明され、キー部材の透光部を介して、その照明光が外部に出力され、キー部材又はその近傍が照明される。
【発明の効果】
【００１１】
本発明によれば、キー部材の下部に配置された環状導光部材が照明されることで、キー部材の透光部が発光するように照明される状態となり、キー部材又はその近傍を良好に照明することができる。この場合、環状導光部材は、接点部の周囲に配置することができ、例えば、同一基板上の同一平面上に、接点部と環状導光部材とを配置することができ、さらに発光素子についても同一基板上に配置でき、非常に薄型に照明機構を構成させることができる。
【発明を実施するための最良の形態】
【００１２】
以下、本発明の一実施の形態の例を、添付図面を参照して説明する。
本実施の形態においては、携帯電話端末に適用した例としてある。図１〜図４は、本例の携帯電話端末１の構成を示す図であり、図１は閉じた状態の斜視図、図２は側面図、図３は平面図、図４は開いた状態の斜視図である。図１及び図４に示すように、本例の携帯電話端末１は、第１筐体１００と第２筐体２００とを、ヒンジ部１０１で回動自在に接合して、開閉できる構成としてある。
【００１３】
本例の携帯電話端末１は、図１に示すように、閉じた状態で外側に露出する第１筐体１００の表面１０２に、サブ表示画面１０３が配置してあり、さらに、９個のキー１１１〜１１９が配置してある。キー１１１〜１１９は、縦３個×横３個の配列としてある。このキー１１１〜１１９は、主として、携帯電話端末１が内蔵すオーディオ再生機能を操作するためのキーである。即ち、曲の再生開始及び停止用のキー、曲の順送り操作用のキー、曲の戻し操作用のキー、音量アップ用のキー、音量ダウン用のキー、オプション操作用のキー、操作のクリア用のキーなどが配置してある。キーを構成する操作ボタンの表面には、それの操作種類を示す図形、記号、文字が印刷などで示してある。また、キー１１１〜１１９の内の一部のキーは、携帯電話端末１が内蔵するカメラ機能の操作キーとしても使用される。
【００１４】
本例のそれぞれのキー１１１〜１１９は、キーを構成する部材が円形形状としてあり、各キー１１１〜１１９の周辺部に、環状透明部１１１ａ〜１１９ａを設けてある。環状透明部１１１ａ〜１１９ａは、後述する照明用の機構により点灯させることができる。キー１１１〜１１９は、いわゆる押しボタンとして機能するキーであり、ユーザが各キー１１１〜１１９を表面側から押すことで、そのキーを構成する部材が押し下げられて、内部の接点部がオン状態になるキーである。
【００１５】
図２に示すように、携帯電話端末１の第１筐体１００の内面部１０４には、メイン表示画面１０５と、スピーカ１０６と、カメラ部１０７などが配置してある。
第２筐体２００の内面２０１には、マイクロフォン２０２と、複数のキー２１１と、ジョグシャトル操作部２１２などが配置してある。キー２１１としては、１，２，３…９，０の数字や記号に対応したダイヤルキー、発信キー、終了キー、各種機能キーなどが、携帯電話端末として一般的な配置で用意してある。
【００１６】
次に、第１筐体１００の表面１０２に配置したキー１１１〜１１９を照明する機構につて説明する。図５は、本例のキー１１１〜１１９の配置箇所の内部を破断して示した図である。図５に示すように、キー１１１〜１１９の配置箇所の内側には、キー基板部１５０が配置してある。このキー基板部１５０は、基板１６０の上に９個のスイッチ接点部１６１〜１６９が配置してある。９個のスイッチ接点部１６１〜１６９は、キー１１１〜１１９の配置と一致した配置としてある。
【００１７】
それぞれのスイッチ接点部１６１〜１６９は、上側からキー１１１〜１１９を構成する部材で押されることで、図示しない接点間がオン状態（導通状態）となるスイッチである。本例の場合、スイッチ接点部１６１〜１６９についても円形に構成してあり、各スイッチ接点部１６１〜１６９の周囲に、照明用の機構を配置してある。
【００１８】
図６は、キー基板部１５０を分解して示す図である。図６の下段に示すように、基板１６０の表面には、９個のスイッチ接点部１６１〜１６９が、縦３個×横３個の配列で配置してある。そして、各スイッチ接点部１６１〜１６９の脇には、発光ダイオード（ＬＥＤ）１６１ａ〜１６９ａ，１６１ｂ〜１６９ｂが配置してある。本例の場合には、１つのスイッチ接点部につき、２個の発光ダイオードを配置してある。例えば、スイッチ接点部１６１の脇には、発光ダイオード１６１ａと発光ダイオード１６１ｂが配置してある。この２つの発光ダイオード１６１ａ，１６１ｂは、それぞれスイッチ接点部１６１を挟んで対向する位置に配置してある。各発光ダイオード１６１ａ，１６１ｂの光の出力部は、側面に設けてあり、後述する環状導光部材１８１の側面に光を入射させる構成としてある。他のスイッチ接点部１６２〜１６９の発光ダイオードの配置や、光の出力方向の設定についても同様である。なお、図６では、各スイッチ接点部１６１〜１６９や発光ダイオード１６１ａ〜１６９ａ，１６１ｂ〜１６９ｂに接続される、基板１６０上の配線パターンについては省略してある。
【００１９】
そして、図６の中段に示すように、スイッチ接点部１６１〜１６９などが配置された基板１６０の上には、遮光部材１７０を配置する。この遮光部材１７０は、所定の厚さ（例えば１ｍｍ程度）の、光を透過させない樹脂板で構成させてある。例えば、白色の樹脂板で遮光部材１７０を構成させてある。遮光部材１７０には、各スイッチ接点部１６１〜１６９の配置位置に対応した、９個の円形孔１７１〜１７９が設けてある。各円形孔１７１〜１７９には、環状導光部材１８１〜１８９が嵌めてある。各環状導光部材１８１〜１８９は、透明な樹脂で成型させてあり、中央に、スイッチ接点部１６１〜１６９のサイズに対応した透孔を有した、環状形状としてある。また、各環状導光部材１８１〜１８９は、それぞれのスイッチ接点部１６１〜１６９の脇の発光ダイオード１６１ａ〜１６９ａ，１６１ｂ〜１６９ｂ配置位置を避けるための、切欠き部を有する。
【００２０】
図１０は、環状導光部材１８１の構成例を示した図である。透明な部材である環状導光部材１８１は、遮光部材１７０とほぼ同じ厚さで構成させてあり、中央に透孔１８１ａを設けてある。組み立てられた状態では、この透孔１８１ａの内部に、スイッチ接点部１６１（図６）が配置される。また、環状導光部材１８１のほぼ１８０°対向した位置に、切欠き部１８１ｂ，１８１ｃが設けてある。この切欠き部１８１ｂ，１８１ｃは、組み立てられた状態では、発光ダイオード１６１ａ，１６１ｂを収めるためのものであり、発光ダイオード１６１ａ，１６１ｂからの光の出力が、切欠き部１８１ｂ，１８１ｃの切欠き面（側面）から、環状導光部材１８１内に入射する。また、環状導光部材１８１の表面１８１ｄを、荒面としてあり、発光ダイオード１６１ａ，１６１ｂから環状導光部材１８１内に入射した光を、表面１８１ｄ側から外部に効率良く出力される構成としてある。
他の環状導光部材１８２〜１８９についても、同一の形状である。
【００２１】
図６の説明に戻ると、図６の中段に示した遮光部材１７０の上には、図６の上段に示すように、遮光シート１９０を配置する。この遮光シート１９０は、白色の薄膜の樹脂シートで構成させてあり、遮光部材１７０と各発光ダイオード１６１ａ〜１６９ａ，１６１ｂ〜１６９ｂの配置位置を覆うシートであり、各環状導光部材１８１〜１８９の配置位置に対応した９個の透孔を設けてある。
遮光シート１９０は、裏面に粘着剤を有し、その粘着剤の粘着性で、遮光部材１７０の表面に貼り付けるようにしてある。
【００２２】
図７は、組み立てられたキー基板１５０を、上側から平面で示した図である。但し、図７では、遮光シート１９０は除いた状態で示してある。この図７から判るように、１つの環状導光部材につき、２つの発光ダイオードが隣接した配置してあり、その発光ダイオードの側面部の出力光が、環状導光部材に導かれて、各環状導光部材１８１〜１８９の表面が発光する。ここで、各環状導光部材１８１〜１８９の間には、図６に示すように、遮光部材１７０が配置してあることで、それぞれの環状導光部材１８１〜１８９の光が、他の環状導光部材１８１〜１８９に届くことはなく、発光ダイオードの発光を個別に制御することで、環状導光部材１８１〜１８９の個々の発光状態を制御できる。
【００２３】
図８及び図９は、環状導光部材１８１の配置位置の近傍を示す断面図である。図８、図９では、遮光シート１９０まで示してある。図８は、発光ダイオードが配置されていない箇所の断面で示してあり、図９は、発光ダイオード１６１ａ，１６１ｂの配置位置を示してある。それぞれの図から判るように、スイッチ接点部１６１の周囲に、薄型に発光ダイオード１６１ａ，１６１ｂからの光を導光させる構成が組まれている。
そして、スイッチ接点部１６１の上側には、図１に示したキー１１１を構成する部材が配置されて、その部材（キー１１１）の周囲の環状透明部１１１ａの下部に、環状導光部材１８１が位置するようになる。
【００２４】
従って、発光ダイオード１６１ａ，１６１ｂの発光で、環状導光部材１８１が照明されることで、その環状導光部材１８１の上の環状透明部１１１ａについても光ることになり、キー１１１の周囲の環状透明部１１１ａが、発光することになる。その発光で、キー１１１についても照明されることになる。即ち、携帯電話端末１を暗い場所で使用する場合には、環状透明部１１１ａの形状に対応した環状の照明状態で、キー１１１が浮かび上がるように照明され、非常にデザイン的にも優れた照明状態となる。他のキー１１２〜１１９についても、同様な照明状態となる。しかも、本例の場合には、図８や図９に示したように、非常に薄型にキー基板部１５０を構成させることができ、照明機構を内蔵させることで機器の厚みが厚くなるようなことがない。
【００２５】
そして本例の場合には、図６に示したように、遮光部材１７０を基板１６０の上に配置して、それぞれのキー１１１〜１１９を照明させる発光ダイオードからの光が、他のキーの配置部分に漏れない構成としたことで、それぞれのキーを個別に照明させることができる。従って、例えば、そのときの動作状態で有効なキーたけを選択的に照明させるような処理が可能となる。或いは、１つのキーごとに順番に点灯させて、イルミネーションの如き効果を得ることもできる。勿論、全てのキーを同時に照明させることも可能である。
【００２６】
また、本例の場合には、図６に示したように、１つの環状導光部材ごとに、２つの発光ダイオードを約１８０°対向する位置に配置したことで、その２つの発光ダイオードの発光タイミングをずらすことで、例えば、１つのキーの上半分を先に点灯させて、下半分を遅れて点灯させる点灯制御を行うことで、あたかも光が環状導光部材内を回転して光りはじめるような効果をもたらすこともできる。このような１つのキーでの点灯タイミングのずれと、各キーの点灯順序をずらす処理を組み合わせることで、より高度な点灯バターンの設定が可能となる。
【００２７】
なお、上述した実施の形態では、図６に示したように、遮光部材１７０の上に遮光シート１９０を配置するようにしたが、端末装置本体を構成する筐体が光をほぼ完全に透過させない構成である場合には、この遮光シートは設けない構成としてもよい。但し、本例のごとき薄型に構成された機器の場合には、筐体を構成する樹脂部材についても比較的肉厚が薄く、発光ダイオードの配置箇所からの光りが、筐体をある程度透過してしまう可能性が高いので、本例のごとき遮光シート１９０を配置することで、環状透明部１１１ａ〜１１９ａ（及びその内部のキー）だけが発光する状態を、良好に作り出すことができる。
【００２８】
また、図６などの例では、１つのキーごとに２つの発光ダイオードを配置する構成としたが、キー１つごとに１つの発光ダイオードを配置する構成としてもよい。但し、本例のように、２つの発光ダイオードを配置することで、環状の透明部の発光状態がある程度均等化して、好ましい。
【００２９】
また、上述した実施の形態においては、携帯電話端末がオーディオ再生機能用として備えるキーの照明用に適用した例としたが、携帯電話端末が備えるその他のキーにも、同様の照明機構を内蔵させるようにしてもよい。例えば、図４に示した携帯電話端末１の第２筐体２００に配置された複数のキー２１１を、同様の構成で照明させるようにしてもよい。また、ポータブルオーディオ再生装置などの、その他の各種電子機器が備えるキーについて、同様の照明機能を備えるようにしてもよい。携帯電話端末に適用する場合の、その形態電話端末の形状についても、図１〜図４の例に限定されない。
【００３０】
キーそのものの形状についても、図１に示したキー１１１〜１１９のような円形のキー以外の形状として、そのキーの周辺を照明するようにしてもよい。また、図１の例では、各キーの周辺部である環状透明部１１１ａ〜１１９ａを照明させる構成としたが、キーそのものを構成する部材（押しボタン部材）全体を透明な樹脂で成型させて、キー部材全体を照明するようにしてもよい。或いは、図形や文字などが印刷（表示）された部分だけを透明として、その図形や文字が、照明で浮かびあがる構成としてもよい。
【図面の簡単な説明】
【００３１】
【図１】本発明の一実施の形態の例による携帯電話端末の例（閉じた状態の例）を示す斜視図である。
【図２】図１例の携帯電話端末の側面図である。
【図３】図１例の携帯電話端末の平面図である。
【図４】図１例の携帯電話端末を開いた状態で示した斜視図である。
【図５】図１例の携帯電話端末の要部を一部破断して示す斜視図である。
【図６】本発明の一実施の形態の例によるキー基板を分解して示した分解斜視図である。
【図７】図６例のキー基板の平面図である。
【図８】図６のＩ−Ｉ線に沿う断面図である。
【図９】図６のII−II線に沿う断面図である。
【図１０】本発明の一実施の形態の例によるキー基板部に配置される環状導光部材の例を示す斜視図である。
【符号の説明】
【００３２】
１…携帯電話端末、１００…第１筐体、１０１…ヒンジ部、１０２…表面部、１０３…サブ表示画面、１０４…内面部、１０５…メイン表示画面、１０６…スピーカ、１０７…カメラ部、１１１〜１１９…キー、１１１ａ〜１１９ａ…環状透明部、１５０…キー基板部、１６０…基板、１６１〜１６９…スイッチ接点部、１６１ａ〜１６９ａ，１６１ｂ〜１６９ｂ…発光ダイオード、１７０…遮光部材、１７１〜１７９…円形孔、１８１〜１８９…環状導光部材、１８１ｂ，１８１ｃ…切欠き部、１９０…遮光シート、２００…第２筐体、２０１…内面、２０２…マイクロフォン、２１１…キー
【図１】
2008097976.tif 000003
【図２】
2008097976.tif 000004
【図３】
2008097976.tif 000005
【図４】
2008097976.tif 000006
【図５】
2008097976.tif 000007
【図６】
2008097976.tif 000008
【図７】
2008097976.tif 000009
【図８】
2008097976.tif 000010
【図９】
2008097976.tif 000011
【図１０】
2008097976.tif 000012